(57)【要約】  回転ブラシに絡みつく塵埃を除去する床面吸込具を提供する。床面吸込具は、ケース内に着脱可能に設けた回転ブラシと、回転ブラシの駆動部を備え、ケースには回転ブラシを取付け又は取外しのための開口部とを備え、回転ブラシは取付けのときは開口部を通し挿入され、取外しのときは開口部から引き抜かれ、ケース内に取付け又は取外しするときに把持するための把持部が一端に設けられるとともに、回転ブラシの円筒基体には軸方向へ延びるように形成される溝部と円筒部が設けられ、ケースの内部には、回転ブラシの取外しのときに、回転ブラシに付着した塵埃を除去する塵埃除去手段（１１）が設けられ、塵埃除去手段（１１）は、回転ブラシに絡み付いた塵埃を切断する刃（３３ｃ）を有する。
2015118981.tif 000002
【特許請求の範囲】
【請求項１】
外郭をなすケースと、  該ケース内において駆動部により回転駆動され、円筒基体に清掃体保持部を介して清掃体が保持される回転ブラシと、を備え、  前記ケースの側面には、前記回転ブラシを前記ケース内に取付け又は取外しするための開口部が形成され、  前記回転ブラシは、前記ケースへの取付けのときは一端側から前記開口部を通して取付け位置まで挿入され、取外しのときは取付け位置より前記開口部から引き抜かれるようになっていて、前記ケース内に取付け又は取外しするときに把持するための把持部が一端に設けられるとともに、前記回転ブラシの円筒基体には軸方向へ延びるように形成される溝部と円筒部が設けられ、  前記ケースの内部には、前記回転ブラシの取外しのときに、前記回転ブラシに付着した塵埃を除去する塵埃除去手段が設けられ、  前記塵埃除去手段は、前記回転ブラシに絡み付いた塵埃を切断する刃を有することを特徴とする床面吸込具。
【請求項２】
前記塵埃除去手段は、前記回転ブラシの清掃体間あるいは清掃体保持部間の溝部である隙間と略同形状に形成されるとともに、前記隙間に位置した状態で前記回転ブラシの軸方向に案内されるリムーバーを有し、  前記リムーバーには、前記溝部に対応して配置され、前記回転ブラシの軸方向に延びる突起部が設けられ、  前記突起部は、前記溝部隙間側の面に対向する上面が先端から根元へ向けて前記円筒基体から離れる方向に傾斜する傾斜面を有しており、  前記刃は、前記突起部の上面に配置されることを特徴とする請求項１に記載の床面吸込具。
【請求項３】
前記刃が前記突起部の先端から根元へ向けて前記円筒基体から離れる方向に傾斜することを特徴とする請求項２に記載の床面吸込具。
【請求項４】
前記刃が配置される前記突起部の上面の傾斜面の根元から前記突起部の突出方向に突出する壁部が設けられることを特徴とする請求項２または請求項３に記載の床面吸込具。
【請求項５】
前記刃は、前記突起部と異なる材質であることを特徴とする請求項２から請求項４のいずれか一項に記載の床面吸込具。
【請求項６】
前記刃は、前記突起部に圧入で固定されることを特徴とする請求項５に記載の床面吸込具。
【請求項７】
前記リムーバーは、前記ケース内部に固定されて配置されていることを特徴とする請求項２から請求項６のいずれか一項に記載の床面吸込具。
【請求項８】
前記突起部は、前記回転ブラシの前記把持部が設けられる一端に対する他端が前記ケースの軸受け部に形成された凸部に嵌合する前に前記回転ブラシの円筒部に位置することを特徴とする請求項７に記載の床面吸込具。
【請求項９】
前記リムーバーと前記刃は、前記回転ブラシが前記ケースに取り付けられているときは、前記回転ブラシの前記把持部及び前記ケースにより視認されない位置に配置されていることを特徴とする請求項２から請求項８のいずれか一項に記載の床面吸込具。
【請求項１０】
前記回転ブラシは、前記回転ブラシが前記ケースへ取付けられたときの前記塵埃除去手段と前記清掃体保持部との間に凸部を設けていることを特徴とする請求項１から請求項９のいずれか一項に記載の床面吸込具。
【請求項１１】
請求項１から請求項１０のいずれか一項に記載の床面吸込具と、  前記床面吸込具に連通し、吸引風を発生する電動送風機と、  前記床面吸込具と前記電動送風機との間に配置され、吸引された塵埃を溜める集塵室とを備えた電気掃除機。
【発明の詳細な説明】
【技術分野】
【０００１】  本発明は内蔵された回転ブラシに付着された塵埃等を除去可能な床面吸込具及びこの床面吸込具を備えた電気掃除機に関するものである。
【背景技術】
【０００２】  電気掃除機の吸込具には回転ブラシが取り付けられており、この回転ブラシが回転して清掃面の塵埃を後方に掻き上げて吸引するが、この回転ブラシに毛や糸などが絡まってしまうと回転ブラシとしての機能を果たさなくなってしまう。  このような不具合を解決するものとして、まず、回転ブラシを吸込具から取り外して、回転ブラシの外周に設けたリング状の塵埃除去手段を回転ブラシの軸方向（長手方向）に沿って摺動させると、塵埃除去手段は、ガイドが中空基体の螺旋状の溝に案内されて回転ブラシの軸方向（長手方向）に沿って摺動するので、塵埃除去手段に設けられたカッター刃が溝に接触しながら回転ブラシの軸方向（長手方向）に沿って螺旋状に移動し糸状の塵埃を除去するというものが提案されている（例えば、特許文献１参照）。【０００３】  また、軸方向への移動により着脱自在な回転ブラシを吸込具に内設し、かつこの吸込具を区画する隔壁の回転ブラシ貫通部に塵埃除去手段を設け、回転ブラシを引き抜くことで、前記塵埃除去手段により、そのブラシ部がしごかれて巻き付いた糸や髪の毛、綿ゴミが掻き落とされるというものが提案されている（例えば、特許文献２参照）。
【先行技術文献】
【特許文献】
【０００４】
【特許文献１】日本特開２００８−２５９７１８号公報
【特許文献２】日本特開昭６２−２１７９３０号公報
【発明の概要】
【発明が解決しようとする課題】
【０００５】  前述した特許文献１に記載の電気掃除機の吸込具では、回転ブラシを取り外して、塵埃去作業を行うために、塵埃除去手段を摺動させる際に塵埃を巻き上げてしまったり、直接手で塵埃に触れてしまったりするので衛生的ではなかった。【０００６】  また、特許文献２に記載の電気掃除機の吸込具では、塵埃除去手段はブラシ毛であり、除去の際に引き抜く方向にしなるので、塵埃が吸込具の外部に流出してしまったり、回転ブラシが安定せずに引き抜かれるので、引抜力が大きくなったりするという課題があった。【０００７】  本発明は、前記のような課題を解決するためにされたもので、手を汚すことなく、ゴミを舞い上げることなく衛生的に、また、軽い力で回転ブラシに絡みついた塵埃を容易に取り除くことができる電気掃除機の吸込具を得ることを目的とする。
【課題を解決するための手段】
【０００８】  課題を解決する本発明の床面吸込具は、外郭をなすケースと、このケース内において駆動部により回転駆動され、円筒基体に清掃体保持部を介して清掃体が保持される回転ブラシとを備え、ケースの側面には、回転ブラシをケース内に取付け又は取外しするための開口部が形成され、回転ブラシは、ケースへの取付けのときは一端側から開口部を通して取付け位置まで挿入され、取外しのときは取付け位置より開口部から引き抜かれるようになっていて、ケース内に取付け又は取外しするときに把持するための把持部が一端に設けられるとともに、回転ブラシの円筒基体には軸方向へ延びるように形成される溝部と円筒部が設けられ、ケースの内部には、回転ブラシの取外しのときに、回転ブラシに付着した塵埃を除去する塵埃除去手段が設けられ、塵埃除去手段は、回転ブラシに絡み付いた塵埃を切断する刃を有するものである。
【発明の効果】
【０００９】  本発明によれば、回転ブラシに巻きつくように絡み付いた糸屑や髪の毛等の塵埃は、回転ブラシを床面吸込具から取外すときに、塵埃除去手段の有する刃により残らず切断され、回転ブラシから容易に塵埃を除去でき、メンテナンス性が改善される。
【図面の簡単な説明】
【００１０】
【図１】本発明の実施の形態１に係る電気掃除機の床面吸込具を電気掃除機本体に接続した状態を示す模式図である。
【図２】本発明の実施の形態１に係る電気掃除機の床面吸込具の斜視図である。
【図３】本発明の実施の形態１に係る電気掃除機の床面吸込具の上面図である。
【図４】本発明の実施の形態１に係る電気掃除機の床面吸込具の下面図である。
【図５】本発明の実施の形態１に係る電気掃除機の床面吸込具の上ケースを外した状態の斜視図である。
【図６】本発明の実施の形態１に係る電気掃除機の床面吸込具の回転ブラシを外した状態のケース下面側からみた斜視図である。
【図７】（ａ）本発明の実施の形態１に係る電気掃除機の床面吸込具の回転ブラシの駆動力伝達構造の模式図、（ｂ）モーターとギアの連結状態を表す要部断面図、（ｃ）ギアと回転ブラシ軸受け部の連結状態を表す要部断面図である。
【図８】本発明の実施の形態１に係る電気掃除機の床面吸込具の回転ブラシの外観図である。
【図９】本発明の実施の形態１に係る電気掃除機の床面吸込具の回転ブラシ取付け前状態の斜視図である。
【図１０】本発明の実施の形態１に係る電気掃除機の床面吸込具の回転ブラシ取付けのための開口部周辺の要部拡大図である。
【図１１】（ａ）回転ブラシと軸受け部の装着直前状態の下面図、（ｂ）回転ブラシと軸受け部の装着状態の下面図である。
【図１２】（ａ）塵埃除去手段であるリムーバーの回転ブラシ側から見た斜視図、（ｂ）塵埃除去手段であるリムーバーの側面図である。
【図１３】本発明の実施の形態１に係る電気掃除機の床面吸込具の回転ブラシの取付け方法を説明する図である。
【図１４】本発明の実施の形態１に係る電気掃除機の床面吸込具の回転ブラシの取付け方法を説明する図である。
【図１５】（ａ）回転ブラシを取付け位置に係止する前の状態のケースの係止部と把持部の係止凸片との係止解除状態を示す要部断面図、（ｂ）回転ブラシを取付け位置に係止した状態のケースの係止部と把持部の係止凸片との係止状態を示す要部断面図である。
【図１６】（ａ）回転ブラシを取付け位置に係止する前の状態の把持部近傍の要部断面図、（ｂ）回転ブラシを取付け位置に係止した状態の把持部近傍の要部断面図である。
【発明を実施するための形態】
【００１１】実施の形態１  図１は本発明の実施の形態１に係る電気掃除機の床面吸込具を電気掃除機本体に接続した状態を示す模式図、図２は本発明の実施の形態１に係る電気掃除機の床面吸込具の斜視図、図３は本発明の実施の形態１に係る電気掃除機の床面吸込具の上面図、図４は本発明の実施の形態１に係る電気掃除機の床面吸込具の下面図、図５は本発明の実施の形態１に係る電気掃除機の床面吸込具の上ケースを外した状態の斜視図、図６は本発明の実施の形態１に係る電気掃除機の床面吸込具の回転ブラシを外した状態のケース下面側からみた斜視図、図７（ａ）は本発明の実施の形態１に係る電気掃除機の床面吸込具の回転ブラシの駆動力伝達構造の模式図、図７（ｂ）はモーターとギアの連結状態を表す要部断面図、（ｃ）ギアと回転ブラシ軸受け部の連結状態を表す要部断面図である。
【００１２】  なお、それぞれの図において、同じ部分または相当する部分には同じ符号を付し、一部の説明を省略する。また、複数の部材であって、符号に「ａ、ｂ等」を付記するものについて、共通する内容を説明する際には、符号に付した「ａ、ｂ等」を削除して、その一方の部材について説明する場合がある。  以下、図１から図７により本発明の実施の形態１に係る電気掃除機の床面吸込具及びこの床面吸込具を備えた電気掃除機の構成について説明する。
【００１３】  図１に示すように、３００は電気掃除機であり、掃除機本体２００とホース体１０１と床面吸込具１００により構成され、被清掃面Ｇから床面吸込具１００を進行方向Ｓに進めたりすることによって塵埃を吸引して掃除をする。掃除機本体２００内には被清掃面Ｇから塵埃を吸引するための吸引風を発生させるための電動送風機２０１が設けられている。 
【００１４】  さらに、掃除機本体２００内には吸引した塵埃を捕集するための集塵室２０２が設けられている。電気掃除機の塵埃の捕集方法については、集塵室に紙パックと呼ばれる袋状フィルターを装着して捕集する紙パック式のものや、旋回流にて塵埃を分離して捕集するサイクロン式のものがあるが、本発明においては塵埃の捕集方法が特定の方式に限定されるものではなく適宜選択可能である。
【００１５】  ホース体１０１は例えば蛇腹のような可撓性を有する軟質管部１０２と、電気掃除機３００を操作するための入力を行う操作部（図示せず）を備えた電気掃除機３００を取り回しするための持ち手部１０３と、伸縮構造を有する硬質延長管部１０４で構成されていて、軟質管部１０２の持ち手部１０３と接続されている反対側の端部が掃除機本体２００に着脱自在に接続されるようになっている。
【００１６】  ホース体１０１の硬質延長管部１０４の持ち手部１０３と接続されている反対側の端部には床面吸込具１００が着脱自在に接続されるようになっている。
【００１７】  図２、図３に示すように、床面吸込具１００の外郭をなす本体ケース３は、上ケース１と下ケース２で構成され進行方向Ｓに対して横長になっていて、硬質延長管部１０４と接続するための接続部５を一端部に設けた継手管４が、他端部に形成された連結部１５を下ケース２と、上ケース１に傾動可能に挟持され連結されている。連結部１５の接続部５と反対側の端部には、連結部１５の内部と連通する左右に一対の接続円筒部１５ａが形成され、接続円筒部１５ａが上ケース１と下ケース２との間に傾動可能に挟持される。
【００１８】  下ケース２には被清掃面Ｇと対向する面側に、被清掃面Ｇに存在する塵埃を吸込むための開口である吸込口１４が設けられている。吸込口１４は、接続円筒部１５ａ及び１５ｂにそれぞれ連通する二つの吸込口１４ａ及び１４ｂと連通する。本体ケース３内には、下ケース２に設けられた吸込口１４から被清掃面Ｇへ向かって突出するように、回転ブラシ６がその両端の位置で後述する軸受け部１０により吸込口１４の奥の空間に回動自在に支持され取付けられている。
【００１９】  軸受け部１０は下カバーＬ８でケースの長手方向で一方の側面の内側に、塵埃除去手段であるリムーバー１１は下カバーＲ９でケースの長手方向で他方の側面の内側に、それぞれ下ケース２と挟持されネジ３７ａ、３７ｂで固定されている。なお、回転ブラシ６の構成、取付け、取外しの構成については後段で詳しく説明する。
【００２０】  さらに下ケース２には被清掃面Ｇへ向かって突出するように、樹脂成形で形成された後部車輪１２ａ１、１２ｂ１が設けられている。さらに、中部車輪１２ａ２、１２ｂ２が後部車輪１２ａ１、１２ａ２の前方で床面吸込具の下面両端部付近に設けられている。後部車輪１２ａ１、１２ｂ１及び中部車輪１２ａ２、１２ｂ２は被清掃面Ｇから所定の距離を置いた固定位置に回動自在に軸支されており、回転ブラシ６が被清掃面Ｇに対して安定した位置にくるようになっている。
【００２１】  そのため、回転ブラシ６に不必要な圧力がかかることがなく適正に回転でき、塵埃のかき取りが安定して行えるようになっている。また、被清掃面Ｇから所定の距離が確保できるので床面吸込具１００の移動も滑らかにできるようになっている。なお、ここでは回転ブラシ６の安定動作と床面吸込具１００の移動のために樹脂成形で形成された後部車輪１２ａ１、１２ｂ１及び中部車輪１２ａ２、１２ｂ２を用いたが、起毛布からなる滑り部材を用いてもよく、本発明においては特定の部材に限定されるものではなく適宜選択可能である。
【００２２】  また、下ケース２には被清掃面Ｇと対向する面側に、被清掃面Ｇを傷つけることなく床面吸込具１００を滑らかに移動させるために、起毛布からなる複数の滑り部材２１ａ、２１ｂが設けられている。さらに回転ブラシ６に弾かれうまく吸引されなかった塵埃が外部に逃れないようにするためと、吸引口外周の一部を塞ぎ吸引の真空度を上げるための起毛布からなる遮蔽部材２３が設けられている。
【００２３】  それから、下ケース２には被清掃面Ｇへ向かって突出するように、スイッチ兼用車輪１３が設けられている。スイッチ兼用車輪１３は下ケース２内に出没自在に軸支されており、被清掃面Ｇから床面吸込具１００を浮かした状態では最も突出するようになっている。被清掃面Ｇへ床面吸込具１００を置こうとすると最初に被清掃面Ｇへ接触し、完全に置いた状態では車輪の一部を残し下ケース２内に没するようになっている。
【００２４】  この出没に連動し、回転ブラシ６の回転駆動を入切するスイッチ（図示せず）が後述するスイッチ保持部２０に収容されて本体ケース３内に設けられており、被清掃面Ｇへ床面吸込具１００を置いて下ケース２内にスイッチ兼用車輪１３が没した状態の時にスイッチ（図示せず）が入となり、被清掃面Ｇから床面吸込具１００を浮かしてスイッチ兼用車輪１３が突出した状態の時にスイッチ（図示せず）が切となるようになっていて、回転ブラシを無駄に空転させないことと、駆動する回転ブラシに使用者が誤って手を巻き込まれないようになっている。
【００２５】  次に、床面吸込具１００内の構成について説明する。図５に示すように、下ケース２に回転ブラシ６を回転駆動するための駆動部であるモーター１６（図示せず）と、前述した回転ブラシ６の回転駆動を入切するスイッチ（図示せず）を収容したスイッチ保持部２０が配設されている。
【００２６】  図７に示すように、モーター１６は第１の連結ベルト１７によりギア１８ａと連結され、ギア１８ａと同軸で一体的に形成され、ギア１８ａよりも歯車数の少ないギア１８ｂは、第２の連結ベルト１９で回転ブラシ６を保持する軸受け部１０と連結されていて、モーター１６を駆動するとその駆動力がギア１８ａ、１８ｂを介して回転ブラシ６を支持する軸受け部１０に伝達され、回転ブラシ６が回転するようになる。
【００２７】  次に、図８により回転ブラシ６の構成について説明する。図８は、本発明の実施の形態１に係る電気掃除機の床面吸込具の回転ブラシの外観図である。
【００２８】  回転ブラシ６は、樹脂成形で形成された円筒部２４ａと、円筒部２４ａの周面に面一で連なるように形成された５つの螺旋状の溝部２５と（円筒部２４ａと溝部２５を合わせて円筒基体２４とする）、隣接する溝部２５の間に形成された清掃体保持部２４ｂを介して支持される清掃体、つまり、清掃体保持部２４ｂに埋め込まれた被清掃面Ｇの塵埃を掻き揚げるための毛ブラシ２７と、円筒基体２４の一端側に設けられた、軸受け部１０に装着するためのガイド部２６と、他端側に設けられた本体ケース３内に取付け又は取外しするときに把持する把持部７により構成されている。螺旋状の溝部２５は、円周方向に等角度で形成される。また、回転ブラシ６には、回転ブラシ６が本体ケース３へ取付けられたときの塵埃除去手段１１（後述する）と清掃体保持部２４ｂとの間に、清掃体保持部２４ｂに対応して凸部２４ｃが設けられる。
【００２９】  把持部７には、取付けのときに本体ケース３に係止するための係止凸片２８と、係止状態または係止解除状態にするときに用いられるレバー７ａが設けられている。なお、清掃体を回転ブラシのブラシ部分を列状に植毛された毛ブラシ２７としたが、ゴム等の弾性体からなるブレード形状の部材を用いてもよく、適宜選択が可能である。また、毛ブラシ２７が５つの溝部に埋め込まれている５列構成としたが、５列に限定されるものではなく、適宜選択が可能である。
【００３０】  次に、図９から図１６により回転ブラシ６の取付け、取外しについて説明する。  図９は本発明の実施の形態１に係る電気掃除機の床面吸込具の回転ブラシ取付け前状態の斜視図、図１０は本発明の実施の形態１に係る電気掃除機の床面吸込具の回転ブラシ取付けのための開口部周辺の要部拡大図、図１１（ａ）は回転ブラシと軸受け部の装着直前状態の下面図、図１１（ｂ）は回転ブラシと軸受け部の装着状態の下面図、図１２（ａ）は塵埃除去手段であるリムーバーの回転ブラシ側から見た斜視図、図１２（ｂ）は塵埃除去手段であるリムーバーの側面図、図１３は本発明の実施の形態１に係る電気掃除機の床面吸込具の回転ブラシの取付け方法を説明する図、図１４は本発明の実施の形態１に係る電気掃除機の床面吸込具の回転ブラシの取付け方法を説明する図、図１５（ａ）は回転ブラシを取付け位置に係止する前の状態のケースの係止部と把持部の係止凸片との係止解除状態を示す要部断面図、図１５（ｂ）は回転ブラシを取付け位置に係止した状態のケースの係止部と把持部の係止凸片との係止状態を示す要部断面図、図１６（ａ）は回転ブラシを取付け位置に係止する前の状態の把持部近傍の要部断面図、図１６（ｂ）は回転ブラシを取付け位置に係止した状態の把持部近傍の要部断面図である。
【００３１】（取付け）  図９に示すように、回転ブラシ６は、床面吸込具１００の側面方向から挿入、取付けされるようになっている。図１０に示すように本体ケース３の一方の側面には回転ブラシ６を取付けるための開口部２９が形成され、開口部２９の周囲に凹部３０が設けられ、凹部３０には凸形状３１が設けられている。後述するように、回転ブラシ６を開口部２９から挿入されて床面吸込具４００の取付け位置に係止されている状態では、回転ブラシ６の取外し方向において、レバー７ａの最外方端部が、開口部２９が形成される本体ケース３の側面の最外方端部より内側に位置するように、凹部３０の深さが設定されている。
【００３２】  開口部２９の奥には、回転ブラシ６に絡み付いた塵埃を除去するための塵除去手段であるリムーバー１１が設けられている。リムーバー１１は樹脂製で、図１２に示すように中空部３４を有し、下方が欠けた中空の環形状で、回転ブラシ６の軸方向に延びる突起部３３が円周方向に等角度で５個設けられている。突起部３３の位置は回転ブラシ６の５個の溝部２５の位置に対応し、回転ブラシ６の毛ブラシ２７（清掃体）間あるいは清掃体保持部２４ｂ間の溝部２５である隙間に位置した状態で、回転ブラシ６の軸方向に案内される。それぞれの突起部３３は、回転ブラシ６の清掃体である毛ブラシ２７の間、または隣接する清掃体保持部２４ｂ間の溝部２５である隙間と略同形状で、谷部隙間側の面に対向する上面が先端から根元へ向けて円筒基体２４から離れる方向に傾斜する傾斜面を有している。
【００３３】  この５個の突起部３３の内、上端の突起部３３の上面の傾斜部３３ｂには、突起部３３の先端から根元に亘って金属製の刃３３ｃが突起部３３に圧入により固定されている。刃３３ｃは、突起部３３の先端から根元へ向けて円筒基体２４から離れる方向に傾斜するように固定される。また、刃３３ｃの形状は、先端から根元に至る途中でＶ字状に折り返すように（谷形に）形成してもよい。刃３３ｃを突起部３３と異なる材質で構成することにより、刃３３ｃの耐久性が改善され、刃３３ｃの摩耗が低減される効果がある。また、刃３３ｃが圧入により固定されるので、刃３３ｃと突起部３３とが別の材質であっても製造が可能であり、しっかりと固定できる。なお、刃３３ｃの設置方法はこれに限定されるものでなく、刃３３ｃと突起部３３とを同じ材質で構成してもよい。一体成形が可能となり、製造コストの低減が図れる利点がある。また、リムーバー１１の内径は回転ブラシ６に設けられている毛ブラシ２７の外形よりも小さく生え際近くまでになっていて毛ブラシ２７を削ぐようになっている。
【００３４】  リムーバー１１は上ケース１と下カバーＲ９とで挟持され、床面吸込具１００に固定されている。なお、リムーバー１１が回転ブラシ６の塵埃を除去するのは取外しの時である。塵埃除去については後段の取外しの説明のところで詳述する。
【００３５】  図９のように回転ブラシ６を開口部２９から挿入しようとすると、リムーバー１１の中空部３４を回転ブラシ６が貫通して、図１１（ａ）のように回転ブラシ６の円筒基体２４に設けられた溝部２５とリムーバー１１の突起部３３が嵌合するようになっていて、溝部２５の一番深いところにほぼ接触するまで突起部３３が嵌まり込んでいる。毛ブラシ２７は突起部３３が設けられている間を通過するようになっている。
【００３６】  図１１のようにさらに回転ブラシ６を押し込んでいくと、前述のように下ケース２と下カバーＬ８で挟持されネジ３７ｂで固定された軸受け部１０の軸受け部凸部１０ａに、回転ブラシ６のガイド部２６に設けられたガイド部開口２６ａが嵌合して支持され、回転ブラシ６の両端がリムーバー１１と軸受け部１０で支持されるようになる。
【００３７】  軸受け部凸部１０ａは図１１（ａ）に示すように円周方向に５等分された楔形状をしている。ガイド部開口２６ａも図９（ｂ）に示すように円周方向に５等分された形状の開口となっていて嵌合するので、軸受け部１０に伝達されたモーター１６の駆動力が空回りすることなく確実に回転ブラシ６に伝達され回転する。
【００３８】  ここで、軸受け部凸部１０ａに回転ブラシ６のガイド部２６に設けられたガイド部開口２６ａが嵌合する前に、突起部３３の円筒基体２４に対向する面は、回転ブラシ６の円筒部２４ａに位置するように設定される。これにより、回転ブラシ６が突起部３３に係止されることがなく回転ブラシ６の中心軸の周りに回動自在の状態となる。したがって、軸受け部凸部１０ａに対しガイド部開口２６ａが回転ブラシ６の中心軸周りでずれていても、回転ブラシ６を押しこむにつれて回転ブラシ６が回転して、両者の嵌合が容易になる。
【００３９】  また、回転ブラシ６は、回転ブラシ６が本体ケース３へ取付けられたときの塵埃除去手段１１と清掃体保持部２４ｂとの間に凸部２４ｃを設けているので、掃除中に回転ブラシ６に絡みついた塵埃は、塵埃除去手段１１側に移動しても凸部２４ｃに掛かり、凸部２４ｃを乗り越えて塵埃除去手段１１に移動するのが防止できる。したがって、塵埃が塵埃除去手段１１に絡んで回転ブラシ６の回転が停止することを防止できる。
【００４０】  回転ブラシ６の本体ケース３内への挿入を完了させるには、図１５（ａ）に示すように本体ケース３に設けられたガイド凹部３８ａ、３８ｂと把持部７に設けられた係止凸片２８の位置に合わせて挿入すると図１４（ａ）のように取付け前位置にレバー７ａがくるようになる。
【００４１】  だが、この状態では、回転ブラシ６が取付け位置に収まっているだけでまだ固定されておらず図１３（ａ）のように把持部７が本体ケース３の側方表面から突出している。これは、回転ブラシ６の把持部７が図１６（ａ）に示すように円筒部２４ａに対して例えば巻バネ形状の弾性体からなる付勢手段３９によって、本体ケース３から外側に向かって付勢されているためで、この突出していることにより把持部７がより把持しやすくなっている。また、突出していることで使用者が、取付けが完了していないことを視覚的に理解できるようになっている。
【００４２】  回転ブラシ６を固定するためには、付勢手段３９の付勢力に抗してさらに把持部７をレバー７ａが凹部３０と接触する位置まで押し込み（図１３（ｂ）の状態）、図１４（ｂ）のようにレバー７ａを取付け位置側へ移動させる（図１３（ｃ）の状態）。
【００４３】  すると、図１０で示した溝状の係止部３２に、図１５（ｂ）のように把持部７の係止凸片２８が嵌まり込むようになり、回転ブラシ６が固定されその位置からでは取り出せない状態となる。このように、回転ブラシ６を開口部２９から挿入されて床面吸込具４００の取付け位置に係止されている状態では、回転ブラシ６の取外し方向において、レバー７ａの最外方端部が、開口部２９が形成される本体ケース３の側面の最外方端部より内側に位置するように、凹部３０の深さが設定されている。したがって、掃除中に家具や壁などがレバー７ａに衝突して、回転ブラシ６の係止が誤って解除されることがなく、使い勝手がよい床面吸込具が得られる。
【００４４】  さらに、凹部３０に設けられた凸形状３１は、レバー７ａが移動する取付け位置と取付け前位置の間に位置しており、凸形状３１はレバー７ａを取付け位置側へ移動（回動）させる状態では、レバー７ａが最も本体ケース３の凹部３０寄りの位置から突出しているので、レバー７ａは凸形状３１に接触して抵抗を伴なって乗り上げ、それを乗り越えるようにして取付け位置まで移動することになる。
【００４５】  そのため、凸形状３１はレバー７ａが取外し位置へ移動する際の抵抗となるので、凸形状３１によってレバー７ａは意図しない取外し位置への移動が抑制され外れ難くなっている。これで取付けが完了する。
【００４６】  このように、回転ブラシが取付け位置に係止されているときは、回転ブラシの取外し方向において、レバーの最外方端部が、開口部が形成されるケースの側面の最外方端部より内側に位置しているので、掃除中に家具や壁などがレバーに衝突して回転ブラシの係止が誤って解除されることが抑制され、使い勝手がよい床面吸込具が得られる。
【００４７】  また、ケースの開口部が形成される側面には、開口部の周囲に凹部が形成され、回転ブラシが取付け位置に係止されているとき、レバーは凹部に収容され、回転ブラシを取外す方向と直交する方向において前記ケースの側面により覆われているので、掃除中に家具や壁などがレバーに前方向または後方向から衝突して回転ブラシの係止が誤って解除されることが抑制され、使い勝手がよい床面吸込具が得られる。
【００４８】（取外し）  図１４（ａ）のように、取付けとは反対に凸形状３１の抵抗に抗しながら取外し位置へレバー７ａを移動させる。取外し位置へレバー７ａがくると、図１５（ａ）のように本体ケース３の係止部３２と把持部７の係止凸片２８の係止状態が解除され、付勢手段３９の付勢力により図１３（ａ）、（ｂ）、図１６（ａ）のように把持部７が本体ケース３の側方表面から突出してくるので、回転ブラシ６を取出すときに把持部７を把持し易く、作業性がよい。
【００４９】  このように、回転ブラシには、把持部を回転ブラシの取外し方向に付勢する付勢手段が設けられ、開口部の内部には、回転ブラシを取付け位置に係止する係止部が設けられ、把持部には、係止部と係合して回転ブラシを取付け位置に係止するためのケース内に収容される係止凸片が設けられているので、把持部を把持し易すくなり、回転ブラシが取り出し易くなるので、作業性を向上させることができ、回転ブラシのメンテナンス性が向上する。
【００５０】  把持部７を持って回転ブラシ６を本体ケース３内から引出そうとすると、図１１（ａ）に示すように回転ブラシ６の円筒基体２４に設けられた溝部２５とリムーバー１１の突起部３３が溝部２５の一番深いところにほぼ接触するまで嵌まり込んでいるので、回転ブラシ６の清掃体２７や溝部２５に巻きつくように絡み付いた糸屑や髪の毛等の塵埃は、突起部３３によって回転ブラシ６から削ぎ落とされ除去される。
【００５１】  つまり、回転ブラシ６の清掃体２７や溝部２５に巻きつくように絡み付いた糸屑や髪の毛等の塵埃は、各突起部３３の先端部から傾斜部３３ａ及び３３ｂによりすくわれ、各傾斜部の根元側に進むにつれて清掃体２７や溝部２５から外側に離される。外側に離された塵埃は、傾斜部３３ｂに設けられた刃３３ｃに沿って案内されて切断される。このとき、回転ブラシに絡みついた塵埃を張った状態で刃に当てることができ、塵埃を切断しやすい。さらに、刃３３ｃは突起部３３の先端から根元へ向けて円筒基体２４から離れる方向に傾斜しているので、塵埃が刃３３ｃに沿って擦れるように移動して塵埃を切断しやすい。なお、切断されずに残った塵埃は、最終的に刃３３ｃが壁部４０との角において残らず切断される。また、リムーバー１１は床面吸込具４００に固定されているため、刃３３ｃ及び壁部４０が回転ブラシ６に絡みつく塵埃に対し固定されるので、塵埃を切断しやすい。 
【００５２】  毛ブラシ２７についても前述したとおりリムーバー１１の内径は回転ブラシ６に設けられている毛ブラシ２７の外形よりも小さく生え際近くまでになっているので、壁部４０によって毛ブラシ２７が削がれ、毛ブラシ２７に絡み付いた塵埃が削ぎ落とされ除去される。このように、取外す過程で回転ブラシ６に絡み付いた塵埃を、手で触れることなく除去することができるので衛生的でメンテナンス性がよい。
【００５３】  このように、本発明の実施の形態１における床面吸込具では、外郭をなすケースと、このケース内において駆動部により回転駆動され、円筒基体に清掃体保持部を介して清掃体が保持される回転ブラシとを備え、ケースの側面には、回転ブラシをケース内に取付け又は取外しするための開口部が形成され、回転ブラシは、ケースへの取付けのときは一端側から開口部を通して取付け位置まで挿入され、取外しのときは取付け位置より開口部から引き抜かれるようになっていて、ケース内に取付け又は取外しするときに把持するための把持部が一端に設けられるとともに、回転ブラシの円筒基体には軸方向へ延びるように形成される溝部と円筒部が設けられ、ケースの内部には、回転ブラシの取外しのときに、回転ブラシに付着した塵埃を除去する塵埃除去手段が設けられ、この塵埃除去手段は、回転ブラシに絡み付いた塵埃を切断する刃を有するので、回転ブラシに巻きつくように絡み付いた糸屑や髪の毛等の塵埃は、回転ブラシを床面吸込具から取外すときに、塵埃除去手段の有する刃により残らず切断され、回転ブラシから容易に塵埃を除去でき、メンテナンス性が改善される。
【００５４】  また、埃除去手段は、回転ブラシの清掃体間あるいは清掃体保持部間の溝部である隙間と略同形状に形成されるとともに、隙間に位置した状態で回転ブラシの軸方向に案内されるリムーバーを有し、リムーバーには、溝部に対応して配置され、回転ブラシの軸方向に延びる突起部が設けられ、突起部は、溝部隙間側の面に対向する上面が先端から根元へ向けて円筒基体から離れる方向に傾斜する傾斜面を有するので、回転ブラシに絡みついた塵埃を張った状態で刃に当てることができ、塵埃を切断しやすく、軽い力で回転ブラシに絡みついた塵埃を容易に取り除くことができる。
【００５５】  また、刃が突起部の先端から根元へ向けて円筒基体から離れる方向に傾斜するので、回転ブラシに絡みついた塵埃を切断しやすくなり、塵埃を容易に取り除くことができる。
【００５６】  また、刃が配置される突起部の上面の傾斜面の根元から突起部の突出方向に突出する壁部が設けられるので、各突起部の先端部から傾斜部によりすくわれ、各傾斜部の根元側に進むにつれて円筒基体や清掃体から外側に離される。外側に離された塵埃は、傾斜部に設けられた刃に沿って案内されて切断され、切断されずに残った塵埃は、最終的に刃と壁部との角において残らず切断される。
【００５７】  また、刃は、突起部と異なる材質であるので、刃の耐久性が改善され、刃の摩耗が低減される。
【００５８】  また、刃は、前記突起部に圧入で固定されるので、刃と突起部とが別の材質であっても製造が可能であり、しっかりと固定できる。
【００５９】  また、リムーバーは、前記ケース内部に固定されて配置されているので、刃及び壁部が回転ブラシに絡みつく塵埃に対し固定されるので、塵埃を切断しやすい。
【００６０】  また、突起部は、回転ブラシの把持部が設けられる一端に対する他端がケースの軸受け部に形成された凸部に嵌合する前に回転ブラシの円筒部に位置するので、回転ブラシが突起部に係止されることがなく回転ブラシの中心軸の周りに回動自在の状態となる。したがって、軸受け部凸部に対しガイド部開口が回転ブラシの中心軸周りでずれていても、回転ブラシを押しこむにつれて回転ブラシが回転して、両者の嵌合が容易になる。
【００６１】  また、リムーバーと刃は、回転ブラシがケースに取り付けられているときは、回転ブラシの把持部及びケースにより視認されない位置に配置されているので、電気掃除機の操作者が誤って刃に触れることがなく、使い勝手がよい。
【００６２】  また、回転ブラシは、回転ブラシがケースへ取付けられたときの塵埃除去手段と清掃体保持部との間に凸部を設けているので、掃除中に回転ブラシに絡みついた塵埃は、塵埃除去手段側に移動しても凸部に掛かり、凸部を乗り越えて塵埃除去手段に移動するのが防止できる。したがって、塵埃が塵埃除去手段に絡んで回転ブラシの回転が停止することを防止できる。
【００６３】  本発明の実施の形態１における電気掃除機では、上記の床面吸込具と、この床面吸込具に連通し、吸引風を発生する電動送風機と、床面吸込具と電動送風機との間に配置され、吸引された塵埃を溜める集塵室とを備えたので、回転ブラシに絡みついた塵埃の除去が容易で、使い勝手のよい電気掃除機が得られる。
【００６４】  なお、本発明の実施の形態１で回転ブラシの駆動方法をモーターによる駆動方式で説明したが、回転ブラシの駆動方法はモーターによる駆動方式に限らず、電動送風機の吸引風によるエアータービン方式でも良く、適宜選択できる。
【産業上の利用可能性】
【００６５】  以上のように、この発明に係る床面吸込具は、手を汚すことなく、ゴミを舞い上げることなく衛生的に、また、軽い力で回転ブラシに絡みついた塵埃を容易に取り除くシステムに利用できる。
【符号の説明】
【００６６】  １  上ケース、  ２  下ケース、  ３  本体ケース、  ４  継手管、  ５  接続部、  ６  回転ブラシ、  ７  把持部、  ７ａ  レバー、  ８  下カバーＬ、  ９  下カバーＲ、  １０  軸受け部、  １０ａ  軸受け部凸部、  １１  リムーバー（塵埃除去手段）、  １２ａ１  後部車輪、  １２ｂ１  後部車輪、  １２ａ２  中部車輪、  １２ｂ２  中部車輪、  １３  スイッチ兼用車輪、  １４  吸込口、  １４ａ  吸込口、  １４ｂ  吸込口、  １５  連結部、  １５ａ  接続円筒部、  １５ｂ  接続円筒部、  １６  モーター（駆動部）、  １７  第１の連結ベルト、  １８ａ  ギア、  １８ｂ  ギア、  １９  第２の連結ベルト、  ２０  スイッチ保持部、  ２１ａ  滑り部材、  ２１ｂ  滑り部材、  ２３  遮蔽部材、  ２４  円筒基体、  ２４ａ  円筒部、  ２４ｂ  清掃体保持部、  ２４ｃ  凸部、  ２５  溝部、  ２６  ガイド部、  ２６ａ  ガイド部開口、  ２７  毛ブラシ（清掃体）、  ２８  係止凸片、  ２９  開口部、  ３０  凹部、  ３１  凸形状、  ３２ａ  係止部、  ３２ｂ  係止部、  ３３  突起部、  ３３ａ  傾斜部、  ３３ｂ  傾斜部、  ３３ｃ  刃、  ３４  中空部、  ３７ａ  ネジ、  ３７ｂ  ネジ、  ３８ａ  ガイド凹部、  ３８ｂ  ガイド凹部、  ３９  付勢手段、  ４０  壁部、  １００  床面吸込具、  １０１  ホース体、  １０２  軟質管部、  １０３  持ち手部、  １０４  硬質延長管部、  ２００  掃除機本体、  ２０１  電動送風機、  ２０２  集塵室、  ３００  電気掃除機、  ４００  床面吸込具、  Ｇ  被清掃面、  Ｓ  進行方向
【図１】
2015118981.tif 000003
【図２】
2015118981.tif 000004
【図３】
2015118981.tif 000005
【図４】
2015118981.tif 000006
【図５】
2015118981.tif 000007
【図６】
2015118981.tif 000008
【図７】
2015118981.tif 000009
【図８】
2015118981.tif 000010
【図９】
2015118981.tif 000011
【図１０】
2015118981.tif 000012
【図１１】
2015118981.tif 000013
【図１２】
2015118981.tif 000014
【図１３】
2015118981.tif 000015
【図１４】
2015118981.tif 000016
【図１５】
2015118981.tif 000017
【図１６】
2015118981.tif 000018
【手続補正書】
【提出日】平成28年10月25日(2016.10.25)
【手続補正１】
【補正対象書類名】特許請求の範囲
【補正対象項目名】全文
【補正方法】変更
【補正の内容】
【特許請求の範囲】
【請求項１】
外郭をなすケースと、
該ケース内において駆動部により回転駆動され、円筒基体に清掃体保持部を介して清掃体が保持される回転ブラシと、
を備え、
前記ケースの側面には、前記回転ブラシを前記ケース内に取付け又は取外しするための開口部が形成され、
前記回転ブラシは、前記ケースへの取付けのときは一端側から前記開口部を通して取付け位置まで挿入され、取外しのときは取付け位置より前記開口部から引き抜かれるようになっていて、前記ケース内に取付け又は取外しするときに把持するための把持部が一端に設けられるとともに、前記回転ブラシの円筒基体には軸方向へ延びるように形成される溝部と円筒部が設けられ、
前記ケースの内部には、前記回転ブラシの取外しのときに、前記回転ブラシに付着した塵埃を除去する塵埃除去手段が設けられ、
前記塵埃除去手段は、前記回転ブラシに絡み付いた塵埃を切断する刃を有し、前記回転ブラシの清掃体間あるいは清掃体保持部間の溝部である隙間と略同形状に形成されるとともに、前記隙間に位置した状態で前記回転ブラシの軸方向に案内されるリムーバーを有し、
前記リムーバーには、前記溝部に対応して配置され、前記回転ブラシの軸方向に延びる突起部が設けられ、
前記突起部は、前記溝部隙間側の面に対向する上面が先端から根元へ向けて前記円筒基体から離れる方向に傾斜する傾斜面を有しており、
前記刃は、前記突起部の上面に配置されることを特徴とする床面吸込具。
【請求項２】
前記刃が前記突起部の先端から根元へ向けて前記円筒基体から離れる方向に傾斜することを特徴とする請求項１に記載の床面吸込具。
【請求項３】
前記刃が配置される前記突起部の上面の傾斜面の根元から前記突起部の突出方向に突出する壁部が設けられることを特徴とする請求項１または請求項２に記載の床面吸込具。
【請求項４】
前記刃は、前記突起部と異なる材質であることを特徴とする請求項１から請求項３のいずれか一項に記載の床面吸込具。
【請求項５】
前記刃は、前記突起部に圧入で固定されることを特徴とする請求項４に記載の床面吸込具。
【請求項６】
前記リムーバーは、前記ケース内部に固定されて配置されていることを特徴とする請求項１から請求項５のいずれか一項に記載の床面吸込具。
【請求項７】
前記突起部は、前記回転ブラシの前記把持部が設けられる一端に対する他端が前記ケースの軸受け部に形成された凸部に嵌合する前に前記回転ブラシの円筒部に位置することを特徴とする請求項６に記載の床面吸込具。
【請求項８】
前記リムーバーと前記刃は、前記回転ブラシが前記ケースに取り付けられているときは、前記回転ブラシの前記把持部及び前記ケースにより視認されない位置に配置されていることを特徴とする請求項１から請求項７のいずれか一項に記載の床面吸込具。
【請求項９】
前記回転ブラシは、前記回転ブラシが前記ケースへ取付けられたときの前記塵埃除去手段と前記清掃体保持部との間に凸部を設けていることを特徴とする請求項１から請求項８のいずれか一項に記載の床面吸込具。
【請求項１０】
請求項１から請求項９のいずれか一項に記載の床面吸込具と、
前記床面吸込具に連通し、吸引風を発生する電動送風機と、
前記床面吸込具と前記電動送風機との間に配置され、吸引された塵埃を溜める集塵室とを備えた電気掃除機。
【手続補正２】
【補正対象書類名】明細書
【補正対象項目名】０００５
【補正方法】変更
【補正の内容】
【０００５】
前述した特許文献１に記載の電気掃除機の吸込具では、回転ブラシを取り外して、塵埃除去作業を行うために、塵埃除去手段を摺動させる際に塵埃を巻き上げてしまったり、直接手で塵埃に触れてしまったりするので衛生的ではなかった。
【手続補正３】
【補正対象書類名】明細書
【補正対象項目名】０００８
【補正方法】変更
【補正の内容】
【０００８】
課題を解決する本発明の床面吸込具は、外郭をなすケースと、このケース内において駆動部により回転駆動され、円筒基体に清掃体保持部を介して清掃体が保持される回転ブラシとを備え、ケースの側面には、回転ブラシをケース内に取付け又は取外しするための開口部が形成され、回転ブラシは、ケースへの取付けのときは一端側から開口部を通して取付け位置まで挿入され、取外しのときは取付け位置より開口部から引き抜かれるようになっていて、ケース内に取付け又は取外しするときに把持するための把持部が一端に設けられるとともに、回転ブラシの円筒基体には軸方向へ延びるように形成される溝部と円筒部が設けられ、ケースの内部には、回転ブラシの取外しのときに、回転ブラシに付着した塵埃を除去する塵埃除去手段が設けられ、塵埃除去手段は、回転ブラシに絡み付いた塵埃を切断する刃を有し、回転ブラシの清掃体間あるいは清掃体保持部間の溝部である隙間と略同形状に形成されるとともに、隙間に位置した状態で回転ブラシの軸方向に案内されるリムーバーを有し、リムーバーには、溝部に対応して配置され、回転ブラシの軸方向に延びる突起部が設けられ、突起部は、溝部隙間側の面に対向する上面が先端から根元へ向けて円筒基体から離れる方向に傾斜する傾斜面を有しており、刃は、突起部の上面に配置されるものである。
【手続補正４】
【補正対象書類名】明細書
【補正対象項目名】００２０
【補正方法】変更
【補正の内容】
【００２０】
さらに下ケース２には被清掃面Ｇへ向かって突出するように、樹脂成形で形成された後部車輪１２ａ１、１２ｂ１が設けられている。さらに、中部車輪１２ａ２、１２ｂ２が後部車輪１２ａ１、１２ｂ１の前方で床面吸込具の下面両端部付近に設けられている。後部車輪１２ａ１、１２ｂ１及び中部車輪１２ａ２、１２ｂ２は被清掃面Ｇから所定の距離を置いた固定位置に回動自在に軸支されており、回転ブラシ６が被清掃面Ｇに対して安定した位置にくるようになっている。
【手続補正５】
【補正対象書類名】明細書
【補正対象項目名】００５４
【補正方法】変更
【補正の内容】
【００５４】
また、塵埃除去手段は、回転ブラシの清掃体間あるいは清掃体保持部間の溝部である隙間と略同形状に形成されるとともに、隙間に位置した状態で回転ブラシの軸方向に案内されるリムーバーを有し、リムーバーには、溝部に対応して配置され、回転ブラシの軸方向に延びる突起部が設けられ、突起部は、溝部隙間側の面に対向する上面が先端から根元へ向けて円筒基体から離れる方向に傾斜する傾斜面を有するので、回転ブラシに絡みついた塵埃を張った状態で刃に当てることができ、塵埃を切断しやすく、軽い力で回転ブラシに絡みついた塵埃を容易に取り除くことができる。
【国際調査報告】
2015118981.tif 000019
2015118981.tif 000020
2015118981.tif 000021
2015118981.tif 000022